(57)【要約】【課題】高精度な干渉推定を考慮して下りリンクのチャネル品質測定用参照信号を送受信する無線基地局装置、移動端末装置、無線通信システム及び無線通信方法を提供すること。【解決手段】本発明の無線基地局装置は、チャネル品質測定用参照信号を時間で隣接する２シンボルにマッピングするマッピング部を備え、前記マッピング部は、連続しないアンテナポート番号のチャネル品質測定用参照信号を、連続するサブキャリアにマッピングすることを特徴とする。【選択図】図１
2014053942.tif 000002
【特許請求の範囲】
【請求項１】
チャネル品質測定用参照信号を時間で隣接する２シンボルにマッピングするマッピング部を備え、前記マッピング部は、連続しないアンテナポート番号のチャネル品質測定用参照信号を、連続するサブキャリアにマッピングすることを特徴とする無線基地局装置。
【請求項２】
前記チャネル品質測定用参照信号をマッピングする情報を移動端末装置に送信することを特徴とする請求項１記載の無線基地局装置。
【請求項３】
隣接する２シンボルにマッピングされたチャネル品質測定用参照信号を含む下りリンク信号を受信する受信部と、前記隣接する２シンボルにマッピングされたチャネル品質測定用参照信号を用いて干渉電力推定を行う干渉電力推定部と、を具備し、連続しないアンテナポート番号のチャネル品質測定用参照信号が、連続するサブキャリアにマッピングされていることを特徴とする移動端末装置。
【請求項４】
チャネル品質測定用参照信号を時間で隣接する２シンボルにマッピングするマッピング部を備えた無線基地局装置と、
前記隣接する２シンボルにマッピングされたチャネル品質測定用参照信号を含む下りリンク信号を受信する受信部、及び前記隣接する２シンボルにマッピングされたチャネル品質測定用参照信号を用いて干渉電力推定を行う干渉電力推定部を備えた移動端末装置と、
を具備し、連続しないアンテナポート番号のチャネル品質測定用参照信号が、連続するサブキャリアにマッピングされていることを特徴とする無線通信システム。
【請求項５】
前記無線基地局装置は、前記チャネル品質測定用参照信号をマッピングする情報を前記移動端末装置に送信することを特徴とする請求項４記載の無線通信システム。
【請求項６】
無線基地局装置において、チャネル品質測定用参照信号を隣接する２シンボルにマッピングする工程と、移動端末装置において、前記隣接する２シンボルにマッピングされたチャネル品質測定用参照信号を含む下りリンク信号を受信する工程と、前記隣接する２シンボルにマッピングされたチャネル品質測定用参照信号を用いて干渉電力推定を行う工程と、を具備し、連続しないアンテナポート番号のチャネル品質測定用参照信号が、連続するサブキャリアにマッピングされていることを特徴とする無線通信方法。
【請求項７】
前記無線基地局装置は、前記チャネル品質測定用参照信号をマッピングする情報を前記移動端末装置に送信することを特徴とする請求項６記載の無線通信方法。
【発明の詳細な説明】
【技術分野】
【０００１】
本発明は、無線基地局装置、移動端末装置、無線通信システム及び無線通信方法に関する。
【背景技術】
【０００２】
３ＧＰＰ（3rd  Generation  Partnership  Project）で規定されるＬＴＥ（Long  Term  Evolution）システムでは、参照信号（Reference  Signal：ＲＳ）をリソースブロック（Resource  Block：ＲＢ）に配置している。例えば、移動端末装置で参照信号を受信することにより、下りリンク信号を同期検波することができる（非特許文献１）。参照信号は、セル固有のスクランブリング信号によってスクランブリング（既知信号系列によるランダマイズ）される。
【０００３】
３ＧＰＰでは、高速伝送をＬＴＥシステムよりも広いカバレッジで実現するためのＬＴＥ−Ａ（ＬＴＥ−Advanced）システムが検討されている。このＬＴＥ−Ａシステムにおいては、下りリンクで２種類の参照信号（復調用参照信号（ＤＭ−ＲＳ）及びチャネル品質測定用参照信号（ＣＳＩ−ＲＳ））が規定される。
【０００４】
復調用参照信号は、物理下り共有チャネル（Physical  Downlink  Shard  Channel：ＰＤＳＣＨ）の復調に用いられる。この復調用参照信号は、ＰＤＳＣＨと同様のプリコーディングが施されて移動端末装置に送信される。チャネル品質測定用参照信号は、移動端末装置が無線基地局装置にフィードバックするチャネル品質情報（Channel  State  Indicator）を測定するために用いられる。
【先行技術文献】
【非特許文献】
【０００５】
【非特許文献１】３ＧＰＰ，ＴＳ３６．２１１
【発明の概要】
【発明が解決しようとする課題】
【０００６】
ＬＴＥ−Ａシステムにおいては、ＬＴＥシステムよりも高精度な干渉推定が必要となる。したがって、ＬＴＥ−Ａシステムにおいては、このような要求を満足するように、下りリンクのチャネル品質測定用参照信号の構成をデザインする必要がある。
【０００７】
本発明はかかる点に鑑みてなされたものであり、高精度な干渉推定を考慮して下りリンクのチャネル品質測定用参照信号を送受信する無線基地局装置、移動端末装置、無線通信システム及び無線通信方法を提供することを目的とする。
【課題を解決するための手段】
【０００８】
本発明の無線基地局装置は、チャネル品質測定用参照信号を時間で隣接する２シンボルにマッピングするマッピング部を備え、前記マッピング部は、連続しないアンテナポート番号のチャネル品質測定用参照信号を、連続するサブキャリアにマッピングすることを特徴とする。
【発明の効果】
【０００９】
本発明によれば、高精度な干渉推定を考慮して下りリンクのチャネル品質測定用参照信号を送受信することができる。
【図面の簡単な説明】
【００１０】
【図１】（ａ），（ｂ）は、本発明に係るＣＳＩ−ＲＳのマッピングを説明するための図である。
【図２】（ａ），（ｂ）は、本発明に係るＣＳＩ−ＲＳのマッピングを説明するための図である。
【図３】（ａ）〜（ｃ）は、本発明に係るＣＳＩ−ＲＳのマッピングを説明するための図である。
【図４】本発明の実施の形態に係る無線基地局装置及び移動端末装置を有する無線通信システムを示す図である。
【図５】本発明の実施の形態に係る無線基地局装置の概略構成を示すブロック図である。
【図６】本発明の実施の形態に係る移動端末装置の概略構成を示すブロック図である。
【発明を実施するための形態】
【００１１】
以下、本発明の実施の形態について添付図面を参照して詳細に説明する。
移動端末装置においては、チャネル品質測定用参照信号（ＣＳＩ−ＲＳ）を用いて、接続セル（Serving  cell）に対する受信伝搬チャネルを推定する。また、移動端末装置においては、ＣＳＩ−ＲＳを用いて、周辺セルからの干渉を推定する。
【００１２】
ＣＳＩ−ＲＳを用いて干渉を推定する場合、２つのＣＳＩ−ＲＳの残差から干渉電力を求める。干渉電力を推定するために用いる２つのＣＳＩ−ＲＳが、周波数領域／時間領域で離れてマッピングされていると、それぞれのマッピング位置でのチャネル状態が異なるために、２つのＣＳＩ−ＲＳの残差から干渉電力を推定したときに、高精度で干渉を推定することができない。
【００１３】
本発明者らは、このような高精度な干渉推定を考慮して、下りリンクのチャネル品質測定用参照信号の配置を検討し、本発明を完成するに至った。
【００１４】
すなわち、本発明の骨子は、ＣＳＩ−ＲＳを生成し、このＣＳＩ−ＲＳを隣接する２シンボルにマッピングすること、あるいは、ＣＳＩ−ＲＳを生成し、このＣＳＩ−ＲＳを特定のシンボルにマッピングし、この特定のシンボルにおける所定のサブキャリアをパンクチャすることである。
【００１５】
本発明においては、高精度な干渉推定のためのＣＳＩ−ＲＳマッピングとして次の２つの態様が挙げられる。
（１）第１の態様においては、ＣＳＩ−ＲＳを隣接する２シンボルにマッピングする。この場合において、図１（ａ）に示すように、ＣＳＩ−ＲＳを時間で隣接する２シンボルにマッピングしても良く、図１（ｂ）に示すように、ＣＳＩ−ＲＳ周波数で隣接する２シンボルにマッピングしても良い。隣接する２シンボル間のフェージング変動が小さいほど、良好な干渉推定を行うことができるため、前者のように時間領域で隣接する２シンボルを用いるマッピングは低速移動環境への適用に適する。
【００１６】
図１（ａ），（ｂ）は、ＣＳＩ−ＲＳを周波数で隣接する２シンボル、あるいは、時間で隣接する２シンボルにペアとしてマッピングする場合について図示しているが、本発明はこれに限定されず、ＣＳＩ−ＲＳを周波数あるいは時間で近接する２シンボル、あるいは、時間で隣接する２シンボルにペアとしてマッピングしても良い。この場合について、周波数あるいは時間で近接するシンボルとは、干渉電力を高精度で推定するために十分な程度でチャネル状態が等しい２つのシンボルをいう。
【００１７】
このように、ＣＳＩ−ＲＳを、周波数で隣接する２シンボル、あるいは、時間で隣接する２シンボルにペアとしてマッピングすることにより、それぞれのＣＳＩ−ＲＳのマッピング位置でのチャネル状態がほぼ等しくなり、２つのＣＳＩ−ＲＳの残差から干渉電力を推定したときに、高精度で干渉を推定することができる。
【００１８】
（２）第２の態様においては、ＣＳＩ−ＲＳを特定のシンボルにマッピングし、この特定のシンボルにおける所定のサブキャリアをパンクチャする。すなわち、ＣＳＩ−ＲＳを多重したＯＦＤＭシンボルにおける所定のサブキャリアをパンクチャする。この場合において、図２（ａ）に示すように、ＣＳＩ−ＲＳから離れたサブキャリアをパンクチャしても良く、図２（ｂ）に示すように、ＣＳＩ−ＲＳに隣接（近接）するサブキャリアをパンクチャしても良い。
【００１９】
このように、ＣＳＩ−ＲＳを特定のシンボルにマッピングし、この特定のシンボルにおける所定のサブキャリアをパンクチャすることにより、チャネル状態に拘わらず所定のサブキャリアの部分を基準とすることができ、２つのＣＳＩ−ＲＳの残差から干渉電力を推定したときに、高精度で干渉を推定することができる。
【００２０】
図３（ａ）〜（ｃ）には、第１の態様でＣＳＩ−ＲＳをマッピングした例を示している。図３（ａ）〜（ｃ）に示す参照信号配置パターンは、ＦＤＭ（Frequency  Division  Multiplex）あるいはＴＤＭ（Time  Division  Multiplex）の配置パターンである。図３（ａ）に示す配置パターンは、２４サブキャリア周期の配置パターンであり、図３（ｂ）に示す配置パターンは、１６サブキャリア周期の配置パターンであり、図３（ｃ）に示す配置パターンは、１２サブキャリア周期の配置パターンである。
【００２１】
図３（ａ）〜（ｃ）において、黒部分はRelease  8  LTEの参照信号部分であり、右上がり斜線の部分はRelease  10  LTEのＤＭ−ＲＳ部分であり、左上がり斜線の部分は本発明で規定するＣＳＩ−ＲＳ部分である。図３（ａ）〜（ｃ）から分かるように、ＣＳＩ−ＲＳが時間で隣接する２シンボルにマッピングされており（ＣＳＩ−ＲＳ対）、８つの送信アンテナ（port  0-7）分のＣＳＩ−ＲＳ対がサブキャリアにマッピングされている。ここでは、port  0,2,4,6のＣＳＩ−ＲＳが連続する４サブキャリアにマッピングされ、port  1,3,5,7のＣＳＩ−ＲＳが連続する４サブキャリアにマッピングされている。
【００２２】
このように、ＣＳＩ−ＲＳを隣接する２シンボルにマッピングすること、あるいは、ＣＳＩ−ＲＳを特定のシンボルにマッピングし、この特定のシンボルにおける所定のサブキャリアをパンクチャすることにより、２つのＣＳＩ−ＲＳの残差から干渉電力を推定したときに、高精度で干渉を推定することができる。
【００２３】
図４は、本発明の実施の形態に係る無線基地局装置及び移動端末装置を有する無線通信システムを示す図である。
【００２４】
無線通信システムは、例えばＥ−ＵＴＲＡ（Evolved  UTRA  and  UTRAN）が適用されるシステムである。無線通信システムは、無線基地局装置（ｅＮＢ：ｅＮｏｄｅＢ）２（２１，２２・・・２ｌ、ｌはｌ＞０の整数）と、無線基地局装置２と通信する複数の移動端末装置（ＵＥ）１ｎ（１１，１２，１３，・・・１ｎ、ｎはｎ＞０の整数）とを備える。無線基地局装置２は、上位局、例えばアクセスゲートウェイ装置３と接続され、アクセスゲートウェイ装置３は、コアネットワーク４と接続される。移動端末１ｎはセル５（５１，５２）において無線基地局装置２とＥ−ＵＴＲＡにより通信を行っている。本実施の形態では、２個のセルについて示しているが、本発明は３個以上のセルについても同様に適用することができる。なお、各移動端末装置（１１，１２，１３，・・・１ｎ）は、同一の構成、機能、状態を有するので、以下では特段の断りがない限り移動端末装置１ｎとして説明を進める。
【００２５】
無線通信システムでは、無線アクセス方式として、下りリンクについてはＯＦＤＭ（直交周波数分割多元接続）が適用され、上りリンクについてはＳＣ−ＦＤＭＡ（シングルキャリア−周波数分割多元接続）が適用される。ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の移動端末装置が互いに異なる周波数帯域を用いることで、移動端末装置間の干渉を低減するシングルキャリア伝送方式である。
【００２６】
ここで、Ｅ−ＵＴＲＡにおける通信チャネルについて説明する。
下りリンクについては、各移動端末装置１ｎで共有される物理下りリンク共有チャネル（ＰＤＳＣＨ：Physical  Downlink  Shared  Channel）と、物理下りリンク制御チャネル(ＰＤＣＣＨ：Physical  Downlink  Control  Channel)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、下りスケジューリング情報（DL  Scheduling  Information）、送達確認情報（ＡＣＫ／ＮＡＣＫ）、上りスケジューリンググラント（UL  Scheduling  Grant）、ＴＰＣコマンド（Transmission  Power  Control  Command）などが伝送される。下りスケジューリング情報には、例えば、物理下りリンク共有チャネルを用いて通信を行うユーザのＩＤや、そのユーザデータのトランスポートフォーマットの情報、すなわち、データサイズ、変調方式、再送制御（ＨＡＲＱ：Hybrid  ＡＲＱ）に関する情報や、下りリンクのリソースブロックの割り当て情報などが含まれる。
【００２７】
また、上りスケジューリンググラントには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報などが含まれる。ここで、上りリンクのリソースブロックとは、周波数リソースに相当し、リソースユニットとも呼ばれる。
【００２８】
また、送達確認情報（ＡＣＫ／ＮＡＣＫ）とは、上りリンクの共有チャネルに関する送達確認情報のことである。送達確認情報の内容は、送信信号が適切に受信されたことを示す肯定応答（ＡＣＫ:Acknowledgement）又はそれが適切に受信されなかったことを示す否定応答（ＮＡＣＫ：Negative  Acknowledgement）の何れかで表現される。
【００２９】
上りリンクについては、各移動端末装置１ｎで共有して使用される物理上りリンク共有チャネル（ＰＵＳＣＨ：Physical  Uplink  Shared  Channel）と、物理上りリンク制御チャネル(ＰＵＣＣＨ：Physical  Uplink  Control  Channel)とが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理に用いるための下りリンクの品質情報、及び物理下りリンク共有チャネルの送達確認情報が伝送される。
【００３０】
物理上りリンク制御チャネルでは、ＣＱＩや送達確認情報に加えて、上りリンクの共有チャネルのリソース割り当てを要求するスケジューリング要求（Scheduling  Request）や、パーシステントスケジューリング（Persistent  Scheduling）におけるリリース要求（Release  Request）などが送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを無線基地局装置が移動端末装置に通知することを意味する。
【００３１】
移動端末装置１ｎは、最適な無線基地局装置に対して通信を行う。図４の例では、移動端末装置１１，１２は、無線基地局装置２１と通信し、移動端末装置１３は無線基地局装置２２と通信している。
【００３２】
図５は、本発明の実施の形態に係る無線基地局装置の構成を示す図である。図５には送信部しか図示していないが、この無線基地局装置は、当然に上りリンク信号を受信処理する受信部を備えている。
【００３３】
図５に示す無線基地局装置は、共有チャネル信号を生成する共有チャネル信号生成部２１と、共有チャネル信号にパンクチャ処理するパンクチャ処理部２２と、ＣＳＩ−ＲＳ系列を生成するＣＳＩ−ＲＳ系列生成部２３と、ＣＳＩ−ＲＳを時間領域／周波数領域にマッピングする時間・周波数マッピング部２４と、共有チャネル信号とＣＳＩ−ＲＳを含む信号とを多重するチャネル多重部２５と、多重された信号をＩＦＦＴ（Inverse  Fast  Fourier  Transform）するＩＦＦＴ部２６と、ＩＦＦＴ後の信号にＣＰ（Cyclic  Prefix）を付加するＣＰ付加部２７と、送信アンテナ２８とから主に構成されている。なお、無線基地局装置は、複数の送信アンテナでＭＩＭＯ送信することが可能であるが、図５においては、説明を簡略化するために、１送信アンテナの構成を示している。
【００３４】
共有チャネル信号生成部２１は、下り送信データを用いて共有チャネル信号（ＰＤＳＣＨで送信される信号）を生成する。共有チャネル信号生成部２１は、上りリンク信号に含まれるＣＳＩ−ＲＳを用いて無線基地局装置で測定されたＣＳＩ測定値に基づいて共有チャネル信号を生成する。共有チャネル信号生成部２１は、生成された共有チャネル信号をパンクチャ処理部２２に出力する。
【００３５】
パンクチャ処理部２２は、生成された共有チャネル信号に対してパンクチャ処理する。パンクチャ処理においては、図２（ａ），（ｂ）に示すように、ＣＳＩ−ＲＳを多重したＯＦＤＭシンボルにおける所定のサブキャリアをパンクチャする。パンクチャ処理する所定サブキャリアについては、予め決められたパターン情報に基づく。パンクチャ処理部２２は、パンクチャ処理後の共有チャネル信号をチャネル多重部２５に出力する。
【００３６】
ＣＳＩ−ＲＳ系列生成部２３は、ＲＢに多重するＣＳＩ−ＲＳを生成する。ＣＳＩ−ＲＳ系列生成部２３は、ＣＳＩ−ＲＳを時間・周波数マッピング部２４に出力する。
【００３７】
時間・周波数マッピング部２４は、ＣＳＩ−ＲＳをＲＢ内の時間領域／周波数領域にマッピングする。時間・周波数マッピング部２４は、ＣＳＩ−ＲＳを隣接する２シンボルにマッピングする、あるいは、ＣＳＩ−ＲＳを特定のシンボルにマッピングする。すなわち、時間・周波数マッピング部２４は、第１の態様においては、図１（ａ）に示すように、ＣＳＩ−ＲＳを時間で隣接する２シンボルにマッピングするか、図１（ｂ）に示すように、ＣＳＩ−ＲＳ周波数で隣接する２シンボルにマッピングする。また、時間・周波数マッピング部２４は、第２の態様においては、図２（ａ），（ｂ）に示すように、ＣＳＩ−ＲＳを特定のシンボルにマッピングする。ＣＳＩ−ＲＳをマッピングするＲＢについては、予め決められたパターン情報に基づく。時間・周波数マッピング部２４は、マッピング後の信号をチャネル多重部２５に出力する。
【００３８】
チャネル多重部２５は、共通チャネル信号とＣＳＩ−ＲＳを含む信号とをチャネル多重する。チャネル多重部２５は、チャネル多重した信号をＩＦＦＴ部２６に出力する。ＩＦＦＴ部２６は、チャネル多重後の信号をＩＦＦＴして時間領域の信号に変換する。ＩＦＦＴ部２６は、ＩＦＦＴ後の信号をＣＰ付加部２７に出力する。ＣＰ付加部２７は、ＩＦＦＴ後の信号にＣＰを付加する。ＣＰ付加された信号は、送信アンテナ２８から下りリンク（下り物理共有チャネル）で各移動端末装置に送信される。
【００３９】
図６は、本発明の実施の形態に係る移動端末装置の構成を示す図である。図６に示す移動端末装置は、受信アンテナ１１と、受信信号からＣＰを除去するＣＰ除去部１２と、ＣＰ除去された信号をＦＦＴ（Fast  Fourier  Transform）するＦＦＴ部１３と、共有チャネル信号とＣＳＩ−ＲＳを含む信号とを分割するチャネル分割部１４と、共有チャネル信号をデパンクチャ処理するデパンクチャ処理部１５と、デパンクチャ処理した共有チャネル信号を復調・復号する共有チャネル信号復調・復号部１６と、時間領域／周波数領域にマッピングされたＣＳＩ−ＲＳをデマッピングする時間・周波数デマッピング部１７と、デマッピングされたＣＳＩ−ＲＳを用いて干渉電力を推定する雑音・干渉電力推定部１８とから主に構成されている。
【００４０】
無線基地局装置から下りリンク（下り物理共有チャネル）で送信された信号は、移動端末装置の受信アンテナ１１を介して受信される。ＣＰ除去部１２は、受信信号からＣＰを除去する。ＣＰ除去部１２は、ＣＰ除去後の信号をＦＦＴ部１３に出力する。ＦＦＴ部１３は、ＣＰ除去後の信号をＦＦＴして周波数領域の信号に変換する。ＦＦＴ部１３は、ＦＦＴ後の信号をチャネル分割部１４に出力する。チャネル分割部１４は、共通チャネル信号とＣＳＩ−ＲＳを含む信号とをチャネル分割する。チャネル分割部１４は、チャネル分割した信号をデパンクチャ処理部１５に出力する。
【００４１】
デパンクチャ処理部１５は、チャネル分割された共有チャネル信号に対してデパンクチャ処理する。デパンクチャ処理部１５は、パターン情報に基づいて共有チャネル信号に対してデパンクチャ処理する。デパンクチャ処理後の共有チャネル信号を共有チャネル信号復調・復号部１６に出力する。なお、パターン情報（制御情報）は、無線基地局装置から移動端末装置に、報知チャネル（ＢＣＨ）で通知されても良く、Ｌ１／Ｌ２制御信号として送信されても良く、上位レイヤで通知されても良い。
【００４２】
共有チャネル信号復調・復号部１６は、デパンクチャされた共有チャネル信号を復調・復号して受信データを得る。
【００４３】
時間・周波数デマッピング部１７は、ＣＳＩ−ＲＳをＲＢ内の時間領域／周波数領域からデマッピングする。ＣＳＩ−ＲＳをデマッピングするＲＢについては、予め決められたパターン情報に基づく。時間・周波数デマッピング部１７は、デマッピング後の信号を雑音・干渉電力推定部１８に出力する。なお、パターン情報（制御情報）は、無線基地局装置から移動端末装置に、報知チャネル（ＢＣＨ）で通知されても良く、Ｌ１／Ｌ２制御信号として送信されても良く、上位レイヤで通知されても良い。
【００４４】
雑音・干渉電力推定部１８は、デマッピングされたＣＳＩ−ＲＳを用いて雑音・干渉電力を推定し、雑音・干渉電力値を出力する。雑音・干渉電力推定部１８は、第１の態様の場合には、周波数又は時間で隣接する２つのＣＳＩ−ＲＳの残差（差分）により雑音・干渉電力を推定する。例えば、時間で隣接する２つのＣＳＩ−ＲＳの残差により雑音・干渉電力を推定する場合、隣接する２つのＣＳＩ−ＲＳの残差の二乗は次のようになる。
｜ｙＴＸ＃ｉ−ＲＸ＃ｊ（ｆ，ｔ）−ｙＴＸ＃ｉ−ＲＸ＃ｊ（ｆ，ｔ＋１）｜２
ここで、ｙＴＸ＃ｉ−ＲＸ＃ｊは、無線基地局装置の送信アンテナＴｘ＃ｉから送信されて移動端末装置の受信アンテナＲｘ＃ｊで受信された受信信号を表す。
【００４５】
受信した各ＣＳＩ−ＲＳの雑音は無相関であるので、平均すると雑音・干渉電力は２（ＰＮ＋ＰＩ）となる。したがって、上記受信信号について、帯域残体において全送受信アンテナで平均化することにより、移動端末装置の受信アンテナＲｘ＃ｊにおける雑音・干渉電力を推定できる。すなわち、以下の数１により、受信アンテナＲｘ＃ｊにおける雑音・干渉電力を推定することができる。
【数１】
2014053942.tif 000003
ここで、ＧＣＳＩ−ＲＳ＝｛（ｆｘ，ｔｙ），…｝はＣＳＩ−ＲＳの配置場所を表し、ＮＣＳＩ−ＲＳはＣＳＩ−ＲＳの個数を表し、ＳはＲＳシンボルを表す。
【００４６】
なお、周波数で隣接する２つのＣＳＩ−ＲＳの残差により雑音・干渉電力を推定する場合には、２つのＣＳＩ−ＲＳの残差の二乗を以下のようにし、数１における残差の二乗の項を以下の項に置き換えることで雑音・干渉電力を推定することができる。
｜ｙＴＸ＃ｉ−ＲＸ＃ｊ（ｆ，ｔ）−ｙＴＸ＃ｉ−ＲＸ＃ｊ（ｆ＋１，ｔ）｜２
また、第２の態様においては、パンクチャされたＲＳシンボルを「０」とすることにより、雑音・干渉電力を推定することができる。
【００４７】
上記構成を有する無線基地局装置及び移動端末装置での無線通信方法について説明する。
本発明の無線通信方法においては、無線基地局装置において、ＣＱＩ−ＲＳを生成し、このＣＱＩ−ＲＳを、隣接する２シンボルにマッピングし、移動端末装置において、隣接する２シンボルにマッピングされたＣＱＩ−ＲＳを用いて干渉電力推定を行う（第１の態様）。
【００４８】
具体的には、無線基地局装置において、時間・周波数マッピング部２４で、ＣＳＩ−ＲＳを、図１（ａ），（ｂ）に示すように、時間又は周波数で隣接する２シンボルにマッピングする。次いで、チャネル多重部２５で、共有チャネル信号とＣＳＩ−ＲＳとをチャネル多重し、この多重信号を下りリンクで移動端末装置に送信する。このとき、必要に応じてパターン情報（制御情報）も下りリンクで移動端末装置に送信する。
【００４９】
移動端末装置においては、チャネル分割部１４で、共有チャネル信号とＣＳＩ−ＲＳとを分割し、共有チャネル信号については、共有チャネル信号復調・復号部１６で復調・復号する。一方、ＣＳＩ−ＲＳについては、時間・周波数デマッピング部１７でデマッピングして抽出する。そして、雑音・干渉電力推定部１８で、ＣＳＩ−ＲＳを用いて雑音・干渉電力を推定し、雑音・干渉電力値を得る。
【００５０】
このように、本発明の無線通信方法においては、ＣＳＩ−ＲＳを、時間又は周波数で隣接する２シンボルにペアとしてマッピングすることにより、それぞれのＣＳＩ−ＲＳのマッピング位置でのチャネル状態がほぼ等しくなり、２つのＣＳＩ−ＲＳの残差から干渉電力を推定したときに、高精度で干渉を推定することができる。
【００５１】
また、本発明の無線通信方法においては、無線基地局装置において、ＣＱＩ−ＲＳを生成し、このＣＱＩ−ＲＳを、特定のシンボルにマッピングし、この特定のシンボルにおける所定のサブキャリアをパンクチャし、移動端末装置において、特定のシンボルのＣＱＩ−ＲＳとパンクチャされたサブキャリアを用いて干渉電力推定を行う（第２の態様）。
【００５２】
具体的には、無線基地局装置において、ＣＱＩ−ＲＳを、図２（ａ），（ｂ）に示すように、特定のシンボルにマッピングする。また、共有チャネル信号については、パンクチャ処理部２２で、図２（ａ），（ｂ）に示すように、パンクチャ処理する。次いで、チャネル多重部２５で、共有チャネル信号とＣＳＩ−ＲＳとをチャネル多重し、この多重信号を下りリンクで移動端末装置に送信する。このとき、必要に応じてパターン情報（制御情報）も下りリンクで移動端末装置に送信する。
【００５３】
移動端末装置においては、チャネル分割部１４で、共有チャネル信号とＣＳＩ−ＲＳとを分割し、共有チャネル信号については、デパンクチャ処理部１５でデパンクチャ処理し、共有チャネル信号復調・復号部１６で復調・復号する。一方、ＣＳＩ−ＲＳについては、時間・周波数デマッピング部１７でデマッピングして抽出する。そして、雑音・干渉電力推定部１８で、ＣＳＩ−ＲＳを用いて雑音・干渉電力を推定し、雑音・干渉電力値を得る。
【００５４】
このように、本発明の無線通信方法においては、ＣＳＩ−ＲＳを特定のシンボルにマッピングし、この特定のシンボルにおける所定のサブキャリアをパンクチャすることにより、チャネル状態に拘わらず所定のサブキャリアの部分を基準とすることができ、２つのＣＳＩ−ＲＳの残差から干渉電力を推定したときに、高精度で干渉を推定することができる。
【００５５】
本発明は上記実施の形態に限定されず、種々変更して実施することが可能である。上記実施の形態において、マッピングパターンや送受信アンテナ数は一例であり、これに限定されるものではない。また、本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【産業上の利用可能性】
【００５６】
本発明は、ＬＴＥ−Ａシステムの無線基地局装置、移動端末装置、無線通信システム及び無線通信方法に有用である。
【符号の説明】
【００５７】
１ｎ  移動端末装置
２ｎ  無線基地局装置
３  アクセスゲートウェイ
４  コアネットワーク
５ｎ  セル
１１  受信アンテナ
１２  ＣＰ除去部
１３  ＦＦＴ部
１４  チャネル分割部
１５  デパンクチャ処理部
１６  共有チャネル信号復調・復号部
１７  時間・周波数デマッピング部
１８  雑音・干渉電力推定部
２１  共有チャネル信号生成部
２２  パンクチャ処理部
２３  ＣＳＩ−ＲＳ系列生成部
２４  時間・周波数マッピング部
２５  チャネル多重部
２６  ＩＦＦＴ部
２７  ＣＰ付加部
２８  送信アンテナ
【図１】
2014053942.tif 000004
【図２】
2014053942.tif 000005
【図３】
2014053942.tif 000006
【図４】
2014053942.tif 000007
【図５】
2014053942.tif 000008
【図６】
2014053942.tif 000009
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
チャネル品質測定用参照信号を時間で隣接する２シンボルにマッピングするマッピング部を備え、前記マッピング部は、連続しないアンテナポート番号のチャネル品質測定用参照信号を、連続するサブキャリアにマッピングすることを特徴とする無線基地局装置。
【請求項２】
前記チャネル品質測定用参照信号をマッピングする情報を移動端末装置に送信することを特徴とする請求項１記載の無線基地局装置。
【請求項３】
時間で隣接する２シンボルにマッピングされたチャネル品質測定用参照信号を含む下りリンク信号を受信する受信部と、前記時間で隣接する２シンボルにマッピングされたチャネル品質測定用参照信号を用いて干渉電力推定を行う干渉電力推定部と、を具備し、連続しないアンテナポート番号のチャネル品質測定用参照信号が、連続するサブキャリアにマッピングされていることを特徴とする移動端末装置。
【請求項４】
チャネル品質測定用参照信号を時間で隣接する２シンボルにマッピングするマッピング部を備えた無線基地局装置と、
前記時間で隣接する２シンボルにマッピングされたチャネル品質測定用参照信号を含む下りリンク信号を受信する受信部、及び前記時間で隣接する２シンボルにマッピングされたチャネル品質測定用参照信号を用いて干渉電力推定を行う干渉電力推定部を備えた移動端末装置と、
を具備し、連続しないアンテナポート番号のチャネル品質測定用参照信号が、連続するサブキャリアにマッピングされていることを特徴とする無線通信システム。
【請求項５】
前記無線基地局装置は、前記チャネル品質測定用参照信号をマッピングする情報を前記移動端末装置に送信することを特徴とする請求項４記載の無線通信システム。
【請求項６】
無線基地局装置において、チャネル品質測定用参照信号を時間で隣接する２シンボルにマッピングする工程と、移動端末装置において、前記時間で隣接する２シンボルにマッピングされたチャネル品質測定用参照信号を含む下りリンク信号を受信する工程と、前記時間で隣接する２シンボルにマッピングされたチャネル品質測定用参照信号を用いて干渉電力推定を行う工程と、を具備し、連続しないアンテナポート番号のチャネル品質測定用参照信号が、連続するサブキャリアにマッピングされていることを特徴とする無線通信方法。
【請求項７】
前記無線基地局装置は、前記チャネル品質測定用参照信号をマッピングする情報を前記移動端末装置に送信することを特徴とする請求項６記載の無線通信方法。